(57)【特許請求の範囲】
【請求項１】
画像撮影部と、
スケジュールを入力する入力部と、
上記画像撮影部にて撮影された画像の画像情報と、その撮影時間を含む画像付加情報と、上記入力部にて入力されたスケジュール情報とを記憶する情報記憶手段と、
上記情報記憶手段に記憶されている画像情報及びスケジュール情報のうち、時間の関連性を有する画像情報及びスケジュール情報を検出する関連情報検出手段と、
上記関連情報検出手段で検出された時間の関連性を有する情報同士であることを示す関連情報を記憶する関連情報記憶手段と、
上記情報記憶手段に記憶されている上記情報のうち、スケジュール情報に対してアクセスを規制する処理が指定された際に、該指定されたスケジュール情報に対してアクセスを規制する処理を施すと共に、上記関連情報記憶手段に記憶されている関連情報に基づいて、上記アクセスを規制する処理が指定されたスケジュール情報と時間の関連性を有する画像情報を検出し、この検出した上記時間の関連性を有する画像情報に対しても、上記アクセスを規制する処理を施し、上記スケジュール情報に対して当該スケジュール情報を削除或いは当該スケジュール情報を保護する処理が指定された際に、該指定されたスケジュール情報に対して削除或いは保護する処理を施すと共に、当該スケジュール情報に対して時間の関連性を有する上記画像情報に対しても削除或いは保護する処理を施す情報処理手段と
を有する情報処理装置。
【請求項２】
上記情報記憶手段には、上記画像情報及びスケジュール情報と共に、送信及び／又は受信された電子メールと、この電子メールの送信日時及び／又は受信日時が付加された添付情報とが記憶されており、
上記関連情報検出手段は、上記送信及び／又は受信された電子メールの送信日時及び／又は受信日時と同じ送信日時及び／又は受信日時が付加された添付情報を検出し、
上記関連情報記憶手段は、上記関連情報検出手段で検出された電子メールの送信先のアドレス情報及び／又は発信元となるアドレス情報、送信及び／又は受信された電子メールに添付されていた添付情報の識別情報を上記関連情報として記憶し、
上記情報処理手段は、上記送信及び／又は受信された電子メールに対して上記アクセスを規制する処理が指定された際に、上記情報記憶手段に記憶されている上記電子メールのうち、上記指定された電子メールに対して上記アクセスを規制する処理を施すと共に、上記指定された電子メールの識別情報に基づいて、当該電子メールに関連付けされている上記添付情報の識別情報を上記関連情報記憶手段から検出し、上記情報記憶手段に記憶されている添付情報のうち、上記関連情報記憶手段から検出した識別情報を有する添付情報に対しても、上記アクセスを規制する処理を施し、及び／又は、
上記情報記憶手段に記憶されている添付情報に対して上記アクセスを規制する処理が指定された際に、該情報記憶手段に記憶されている添付情報のうち、上記指定がなされた添付情報に対して上記アクセスを規制する処理を施すと共に、この添付情報の識別情報に基づいて、該添付情報に関連付けされている電子メールの識別情報を上記関連情報記憶手段から検出し、上記情報記憶手段に記憶されている電子メールのうち、上記関連情報記憶手段から検出した識別情報を有する電子メールに対しても上記アクセスを規制する処理を施す
請求項１に記載の情報処理装置。
【請求項３】
上記情報処理手段は、上記スケジュール情報に対してアクセスを規制する処理が指定された際に、上記時間の関連性を有する画像情報に対しても該アクセスを規制する処理を行うか否かを問うメッセージを出力し、該時間の関連性を有する画像情報に対する処理を認容する入力がなされた際に、上記時間の関連性を有する画像情報に対して上記アクセスを規制する処理を施す
請求項１又は請求項２に記載の情報処理装置。
【請求項４】
情報記憶手段が、画像撮影部にて撮影された画像の画像情報と、その撮影時間を含む画像付加情報と、入力部にて入力されたスケジュール情報とを記憶するステップと、
関連情報検出手段が、上記情報記憶手段に記憶されている画像情報及びスケジュール情報のうち、時間の関連性を有する画像情報及びスケジュール情報を検出するステップと、
関連情報記憶手段が、上記ステップで検出された時間の関連性を有する情報同士であることを示す関連情報を記憶するステップと、
上記情報記憶手段に記憶されている上記情報のうち、上記スケジュール情報に対してアクセスを規制する処理が指定された際に、情報処理手段が、該指定されたスケジュール情報に対してアクセスを規制する処理を施すと共に、上記関連情報記憶手段に記憶されている関連情報に基づいて、上記アクセスを規制する処理が指定されたスケジュール情報と時間の関連性を有する画像情報を検出し、この検出した上記時間の関連性を有する画像情報に対しても、上記アクセスを規制する処理を施し、上記スケジュール情報に対して当該スケジュール情報を削除或いは当該スケジュール情報を保護する処理が指定された際に、該指定されたスケジュール情報に対して削除或いは保護する処理を施すと共に、当該スケジュール情報に対して時間の関連性を有する上記画像情報に対しても削除或いは保護する処理を施すステップと
を有する情報処理方法。
【請求項５】
画像撮影部にて撮影された画像の画像情報と、その撮影時間を含む画像付加情報と、入力部にて入力されたスケジュール情報とを情報記憶手段に記憶制御する記憶制御手段としてコンピュータを機能させ、
上記情報記憶手段に記憶されている画像情報及びスケジュール情報のうち、時間の関連性を有する画像情報及びスケジュール情報を検出する関連情報検出手段としてコンピュータを機能させ、
コンピュータを上記関連情報検出手段として機能させることで検出された時間の関連性を有する情報同士であることを示す関連情報を関連情報記憶手段に記憶制御する関連情報記憶制御手段としてコンピュータを機能させ、
上記情報記憶手段に記憶されている上記情報のうち、上記スケジュール情報に対してアクセスを規制する処理が指定された際に、該指定されたスケジュール情報に対してアクセスを規制する処理を施すと共に、上記関連情報記憶手段に記憶されている関連情報に基づいて、上記アクセスを規制する処理が指定されたスケジュール情報と時間の関連性を有する画像情報を検出し、この検出した上記時間の関連性を有する画像情報に対しても、上記アクセスを規制する処理を施し、上記スケジュール情報に対して当該スケジュール情報を削除或いは当該スケジュール情報を保護する処理が指定された際に、該指定されたスケジュール情報に対して削除或いは保護する処理を施すと共に、当該スケジュール情報に対して時間の関連性を有する上記画像情報に対しても削除或いは保護する処理を施す情報処理手段としてコンピュータを機能させる
情報処理プログラム。
【請求項６】
画像撮影部と、
スケジュールを入力する入力部と、
上記画像撮影部にて撮影された画像の画像情報と、その撮影時間を含む画像付加情報と、上記入力部にて入力されたスケジュール情報とを記憶する情報記憶手段と、
上記情報記憶手段に記憶されている画像情報及びスケジュール情報のうち、時間の関連性を有する画像情報及びスケジュール情報を検出する関連情報検出手段と、
上記関連情報検出手段で検出された時間の関連性を有する情報同士であることを示す関連情報を記憶する関連情報記憶手段と、
上記情報記憶手段に記憶されている上記情報のうち、スケジュール情報に対してアクセスを規制する処理が指定された際に、該指定されたスケジュール情報に対してアクセスを規制する処理を施すと共に、上記関連情報記憶手段に記憶されている関連情報に基づいて、上記アクセスを規制する処理が指定されたスケジュール情報と時間の関連性を有する画像情報を検出し、この検出した上記時間の関連性を有する画像情報に対しても、上記アクセスを規制する処理を施し、上記スケジュール情報に対して当該スケジュール情報を削除或いは当該スケジュール情報を保護する処理が指定された際に、該指定されたスケジュール情報に対して削除或いは保護する処理を施すと共に、当該スケジュール情報に対して時間の関連性を有する上記画像情報に対しても削除或いは保護する処理を施す情報処理手段と
を有する携帯端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、ノート型或いはデスクトップ型のパーソナルコンピュータ装置等に適用して好適な情報処理装置、情報処理方法、情報処理プログラム、及び携帯端末装置に関し、特に一方の情報に対して所望の処理が指定された場合に、この一方の情報に関連する他方の情報に対しても、該一方の情報に対して施した処理と同じ処理を施すようにした情報処理装置、情報処理方法、情報処理プログラム、及び携帯端末装置に関する。
【背景技術】
【０００２】
特開２００１−４３２４０号の公開特許公報（特許文献１）に、デジタル画像撮影時にキーワード等の情報を付加する作業を軽減すると共に、デジタル画像データの管理情報とスケジュールデータとのデータの相互利用を可能とすることを目的とした情報処理装置が開示されている。
【０００３】
この情報処理装置は、カメラモジュールで被写体の撮像が行われた際に、この撮像された被写体の画像情報をメモリに格納すると共に、この被写体の撮像日時に該当するスケジュールの有無をスケジューラから検出し、該スケジュールが存在した場合、このスケジューラの用件記憶領域に記憶されている用件をキーワードとして抽出してキーワードエリアに格納しておく。
【０００４】
そして、画像情報に対するキーワードの入力処理或いはキーワードの追加処理が指定された際に、上記キーワードエリアに格納しておいた、その画像情報に対応するキーワードを読み出し、該画像情報に対して自動的に付加する。これにより、撮影された画像情報に付加されるキーワードとして、スケジューラに記憶されている用件を用いることができ、該画像情報に対してキーワードを入力する面倒な操作を省略可能とすることができる。
【０００５】
また、これとは反対に、画像情報に対してキーワードの入力又は追加が行われた場合、その画像が撮像された日付のスケジュールとして、上記入力されたキーワードをスケジューラに登録する。これにより、撮像された画像に対してキーワードが入力又は追加された場合には、そのキーワードをスケジューラに反映させることができるため、画像管理及びスケジュール管理のために同じ情報を別々に入力するという不都合を防止することができる。
【０００６】
【特許文献１】特開２００１−４３２４０号公報（第５頁：図４、図５）
【発明の開示】
【発明が解決しようとする課題】
【０００７】
ここで、今日における携帯電話機には、カメラ機能、電子メール機能、スケジューラ等の多くの機能が設けられているのであるが、例えば「スケジュール機能に登録されたスケジュールと、このスケジュールの実行中にカメラ機能で撮像された画像情報」や、「送受信された電信メールと、この電子メールに添付された画像情報」等のように、異なる機能の情報間において、互いに関連する情報も多々存在する。
【０００８】
そして、例えば送受信した電子メールの文章情報を削除処理した場合には、この電子メールに添付されていた画像情報も削除処理し、正しいパスワードの入力が行われない限り表示をさせないプライベート設定処理を所望のスケジュールに対して施した場合には、このスケジュールの実行中にカメラ機能で撮像された画像情報にもプライベート設定処理を施す等のように、互いに関連する情報のうち、一方の情報に対して所望の処理を施した場合には、他方の情報に対しても、その処理を施すことが多い。この場合、一方及び他方の各情報に対して、別々に処理を施していたのでは大変面倒である。
【０００９】
本発明は上述の課題に鑑みてなされたものであり、互いに関連性を有する複数の情報に対して、指定された処理を一括的に施すことで、該互いに関連性を有する各情報毎に同じ処理を別々に施す面倒な作業を省略することができるような情報処理装置、情報処理方法、情報処理プログラム、及び携帯端末装置の提供を目的とする。
【課題を解決するための手段】
【００１０】
本発明に係る情報処理装置は、上述の課題を解決するための手段として、
画像撮影部と、
スケジュールを入力する入力部と、
上記画像撮影部にて撮影された画像の画像情報と、その撮影時間を含む画像付加情報と、上記入力部にて入力されたスケジュール情報とを記憶する情報記憶手段と、
上記情報記憶手段に記憶されている画像情報及びスケジュール情報のうち、時間の関連性を有する画像情報及びスケジュール情報を検出する関連情報検出手段と、
上記関連情報検出手段で検出された時間の関連性を有する情報同士であることを示す関連情報を記憶する関連情報記憶手段と、
上記情報記憶手段に記憶されている上記情報のうち、スケジュール情報に対してアクセスを規制する処理が指定された際に、該指定されたスケジュール情報に対してアクセスを規制する処理を施すと共に、上記関連情報記憶手段に記憶されている関連情報に基づいて、上記アクセスを規制する処理が指定されたスケジュール情報と時間の関連性を有する画像情報を検出し、この検出した上記時間の関連性を有する画像情報に対しても、上記アクセスを規制する処理を施し、上記スケジュール情報に対して当該スケジュール情報を削除或いは当該スケジュール情報を保護する処理が指定された際に、該指定されたスケジュール情報に対して削除或いは保護する処理を施すと共に、当該スケジュール情報に対して時間の関連性を有する上記画像情報に対しても削除或いは保護する処理を施す情報処理手段と
を有する。
【００１１】
本発明に係る情報処理方法は、上述の課題を解決するための手段として、
情報記憶手段が、画像撮影部にて撮影された画像の画像情報と、その撮影時間を含む画像付加情報と、入力部にて入力されたスケジュール情報とを記憶するステップと、
関連情報検出手段が、上記情報記憶手段に記憶されている画像情報及びスケジュール情報のうち、時間の関連性を有する画像情報及びスケジュール情報を検出するステップと、
関連情報記憶手段が、上記ステップで検出された時間の関連性を有する情報同士であることを示す関連情報を記憶するステップと、
上記情報記憶手段に記憶されている上記情報のうち、上記スケジュール情報に対してアクセスを規制する処理が指定された際に、情報処理手段が、該指定されたスケジュール情報に対してアクセスを規制する処理を施すと共に、上記関連情報記憶手段に記憶されている関連情報に基づいて、上記アクセスを規制する処理が指定されたスケジュール情報と時間の関連性を有する画像情報を検出し、この検出した上記時間の関連性を有する画像情報に対しても、上記アクセスを規制する処理を施し、上記スケジュール情報に対して当該スケジュール情報を削除或いは当該スケジュール情報を保護する処理が指定された際に、該指定されたスケジュール情報に対して削除或いは保護する処理を施すと共に、当該スケジュール情報に対して時間の関連性を有する上記画像情報に対しても削除或いは保護する処理を施すステップと
を有する。
【００１２】
本発明に係る情報処理プログラムは、上述の課題を解決するために、
画像撮影部にて撮影された画像の画像情報と、その撮影時間を含む画像付加情報と、入力部にて入力されたスケジュール情報とを情報記憶手段に記憶制御する記憶制御手段としてコンピュータを機能させ、
上記情報記憶手段に記憶されている画像情報及びスケジュール情報のうち、時間の関連性を有する画像情報及びスケジュール情報を検出する関連情報検出手段としてコンピュータを機能させ、
コンピュータを上記関連情報検出手段として機能させることで検出された時間の関連性を有する情報同士であることを示す関連情報を関連情報記憶手段に記憶制御する関連情報記憶制御手段としてコンピュータを機能させ、
上記情報記憶手段に記憶されている上記情報のうち、上記スケジュール情報に対してアクセスを規制する処理が指定された際に、該指定されたスケジュール情報に対してアクセスを規制する処理を施すと共に、上記関連情報記憶手段に記憶されている関連情報に基づいて、上記アクセスを規制する処理が指定されたスケジュール情報と時間の関連性を有する画像情報を検出し、この検出した上記時間の関連性を有する画像情報に対しても、上記アクセスを規制する処理を施し、上記スケジュール情報に対して当該スケジュール情報を削除或いは当該スケジュール情報を保護する処理が指定された際に、該指定されたスケジュール情報に対して削除或いは保護する処理を施すと共に、当該スケジュール情報に対して時間の関連性を有する上記画像情報に対しても削除或いは保護する処理を施す情報処理手段としてコンピュータを機能させる。
【００１３】
本発明に係る携帯端末装置は、上述の課題を解決するための手段として、
画像撮影部と、
スケジュールを入力する入力部と、
上記画像撮影部にて撮影された画像の画像情報と、その撮影時間を含む画像付加情報と、上記入力部にて入力されたスケジュール情報とを記憶する情報記憶手段と、
上記情報記憶手段に記憶されている画像情報及びスケジュール情報のうち、時間の関連性を有する画像情報及びスケジュール情報を検出する関連情報検出手段と、
上記関連情報検出手段で検出された時間の関連性を有する情報同士であることを示す関連情報を記憶する関連情報記憶手段と、
上記情報記憶手段に記憶されている上記情報のうち、スケジュール情報に対してアクセスを規制する処理が指定された際に、該指定されたスケジュール情報に対してアクセスを規制する処理を施すと共に、上記関連情報記憶手段に記憶されている関連情報に基づいて、上記アクセスを規制する処理が指定されたスケジュール情報と時間の関連性を有する画像情報を検出し、この検出した上記時間の関連性を有する画像情報に対しても、上記アクセスを規制する処理を施し、上記スケジュール情報に対して当該スケジュール情報を削除或いは当該スケジュール情報を保護する処理が指定された際に、該指定されたスケジュール情報に対して削除或いは保護する処理を施すと共に、当該スケジュール情報に対して時間の関連性を有する上記画像情報に対しても削除或いは保護する処理を施す情報処理手段と
を有する。
【００１４】
このような本発明は、情報記憶手段に記憶されている画像情報、画像付加情報、及びスケジュール情報のうち、スケジュール情報に対してアクセスを規制する処理が指定されると、情報処理手段が、該指定されたスケジュール情報に対して上記アクセスを規制する処理を施すと共に、関連情報記憶手段に記憶されている関連情報に基づいて、上記処理が指定されたスケジュール情報と時間の関連性を有する画像情報を検出し、この検出した上記時間の関連性を有する画像情報に対しても、上記アクセスを規制する処理を施すことで、互いに関連性を有する複数の情報に対して一括的にアクセスを規制する処理を施す。また、上記スケジュール情報に対して当該スケジュール情報を削除或いは当該スケジュール情報を保護する処理が指定された際に、該指定されたスケジュール情報に対して削除或いは保護する処理を施すと共に、当該スケジュール情報に対して時間の関連性を有する上記画像情報に対しても削除或いは保護する処理を施すことで、互いに関連性を有する複数の情報の削除或いは保護の一括処理を可能とする。
【発明の効果】
【００１５】
本発明は、互いに関連性を有する複数の情報に対して、一括的にアクセスを規制する処理を施すことができる。このため、互いに関連性を有する各情報毎に同じアクセスを規制する処理を別々に施す面倒な作業を省略することができる。また、本発明は、互いに関連性を有する複数の情報の削除、或いは保護の一括処理を可能とすることができる。
【発明を実施するための最良の形態】
【００１６】
本発明は、携帯電話機に適用することができる。
【００１７】
［携帯電話機の構成］
この本発明の実施の形態となる携帯電話機は、図１に示すように基地局との間で無線通信を行うアンテナ１及び通信回路２と、着信音や受話音声等の音響出力を得るためのスピーカ部３と、送話音声を集音するマイクロホン部４と、画像（動画像、静止画像等）や文字等を表示するための表示部５と、文字等の入力操作や所望のメニューの選択操作等を行うための操作部６、発着信等を光で知らせるための発光部７（LED：Light Emitting Diode）とを有している。
【００１８】
また、この携帯電話機は、所望の被写体の静止画像或いは動画像を撮像するためのカメラ部８と、当該携帯電話機の筐体を振動させて発着信等をユーザに知らせるためのバイブレーションユニット９と、各種プログラムや情報等が記憶されたメモリ１１と、このメモリ１１に記憶されている各情報の関連性を示す関連情報を記憶する関連情報記憶部１０と、当該携帯電話機全体の動作を制御する制御部１２、現在の日時をカウントするタイマ１３とを有している。
【００１９】
上記メモリ１１には、基地局を介した無線通信処理を行うための通信処理プログラム（コミュニケーションプログラム）、後に説明する関連性を有する各情報に対して一括的な処理を施すことを可能とする情報処理プログラム、カメラ部８を撮像制御するためのカメラ制御プログラム、音楽データを再生するための音楽プレーヤプログラム、この音楽プレーヤプログラムで再生される音楽データ、ユーザの所望の日時に所望のスケジュールが登録されたスケジュール帳、各ユーザの電話番号や電子メールアドレス等が登録された電話帳、発着信した電子メールのデータ、電話や電子メールの発着信履歴、カメラ部８で撮像され、或いは送受信した電子メールに添付された動画像や静止画像の画像情報等が記憶されている。
【００２０】
［関連性の抽出動作］
この実施の形態の携帯電話機は、メモリ１１に記憶されている情報のうち、所望の情報に対してアクセスを規制する処理が指定された場合、当該処理が指定された情報に関連性を有する情報に対しても、一括してアクセスを規制する処理を施すのであるが、この一括処理を可能とするためには、各情報の関連性を予め検出しておく必要がある。図２に、この関連性の抽出動作のフローチャートを示す。
【００２１】
この図２のフローチャートは、例えばカメラ部８で撮像が行われ、所望のスケジュールの入力が行われ、送受信した電子メールに対して添付された音楽データや画像情報等の添付情報が検出され、或いは新規ユーザの電子メールアドレスの入力が行われる等のように、新たな情報をメモリ１１に記憶する際に、制御部１２が該メモリ１１に記憶されている情報処理プログラムに基づいて実行するようになっている。
【００２２】
この図２のフローチャートにおいて、ステップＳ１では、制御部１２が、上記カメラ部８で撮像された画像情報（動画像或いは静止画像）、入力された所望のスケジュール、送受信した電子メール、及びこの電子メールに添付されていた音楽データや画像情報等の添付情報、或いは入力された新規ユーザの電子メールアドレス等の新たな情報をメモリ１１に記憶制御してステップＳ２に処理を進める。
【００２３】
この新たな情報をメモリ１１に記憶制御する際、制御部１２は、該情報に対して固有の識別情報を付加し、また必要に応じて記録日時を示す日時情報を付加してメモリ１１に記憶制御する。例えば、カメラ部８で撮像された画像情報に対しては、上記識別情報を付加すると共に、撮像日時を示す日時情報を付加してメモリ１１に記憶制御する。また、入力されたスケジュールに対しては、ユーザより指定された日付及び時間帯の欄に各スケジュール毎に固有とされた上記識別情報を付加してメモリ１１に記憶制御する。また、送受信した電子メールは、その送受信日時を示す日時情報を付加すると共に、該各電子メール毎に固有とされた識別情報を付加してメモリ１１に記憶制御し、電子メールに添付されていた音楽データや画像情報等の添付情報は、その電子メールの送受信日時を示す日時情報と共に識別情報を付加してメモリ１１に記憶制御する。
【００２４】
ステップＳ２では、制御部１２が、このメモリ１１に記憶制御した新たな情報に関連する他の情報をメモリ１１から検出する。そして、制御部１２は、ステップＳ３において、上記メモリ１１に新たに記憶制御した情報と、上記ステップＳ２で検出した情報との関連性を示す関連情報を、図１に示す関連情報記憶部１０に記憶制御して、この図２のフローチャートに示す処理を終了する。
【００２５】
次に、上記ステップＳ２及び上記ステップＳ３で説明した各情報同士の関連付け処理を、カメラ部８で撮像した画像情報と、スケジュール帳に登録されているスケジュールとの間の関連付け処理を例として説明する。この例示となる関連付け処理は、図３のフローチャートに示す流れとなる。
【００２６】
この図３のフローチャートは、カメラ部８で所望の被写体が撮像されることでスタートとなり、ステップＳ１１から処理が行われる。カメラ部８で所望の被写体が撮像されることで、制御部１２は、その画像情報をメモリ１１に記憶制御するのであるが（図２のフローチャートのステップＳ１に相当）、この際、タイマ１３で計時されている日時情報を上記画像情報に付加してメモリ１１に記憶制御する。制御部１２は、ステップＳ１１において、上記メモリ１１に記憶制御した画像情報に付加した日時情報を検出することで、その画像情報の撮像日時を検出し、処理をステップＳ１２に進める。
【００２７】
次に、制御部１２は、以下のステップＳ１３及びステップＳ１４で説明するように画像情報の日時に対応するスケジュールを検索する。この検索は、画像情報に付加された日時と、スケジュール帳に登録された各スケジュールの日時とを順次比較することで行う。このため、ステップＳ１２では、スケジュール帳に登録されている全てのスケジュールに対して、この検索処理が終了したか否かを判別する。そして、全てのスケジュールに対して、上記検索処理が終了するまでの間、以下に説明するステップＳ１３〜ステップＳ１５の処理を繰り返し実行する。
【００２８】
具体的には、制御部１２は、ステップＳ１３に処理を進めると、画像情報に付加された日時と、最初の検索対象となるスケジュールのスケジュール開始日時とを比較し、画像情報に付加された日時が、最初の検索対象となるスケジュールのスケジュール開始日時よりも後であるか否かを判別する。画像情報に付加された日時が、上記スケジュールのスケジュール開始日時よりも後であるということは、その画像は、上記スケジュールの実行中に撮像された可能性がある。このため、制御部１２は、画像情報に付加された日時が、上記スケジュールのスケジュール開始日時よりも後であると判別した場合には、処理をステップＳ１４に進める。
【００２９】
なお、画像情報に付加された日時が、そのスケジュールのスケジュール開始日時よりも前であると判断した場合、その画像は、上記スケジュールの実行中に撮像された画像ではないことを示す。このため、この場合、制御部１２は処理をステップＳ１２に戻し、スケジュール帳に登録されている全てのスケジュールに対して、この検索処理が終了したか否かを判別する。そして、スケジュール帳に登録されている全てのスケジュールに対して、この検索処理が終了していないものと判別した場合には、処理をステップＳ１３に進め、前述と同様に、画像情報に付加された日時と、次の検索対象となるスケジュールのスケジュール開始日時とを比較することとなる。
【００３０】
次に、画像情報に付加された日時が、検索対象となるスケジュールのスケジュール開始日時よりも後であると判別することで処理をステップＳ１４に進めると、制御部１２は、画像情報に付加された日時が、上記スケジュールのスケジュール終了日時よりも前であるか否かを判別する。
【００３１】
画像情報に付加された日時が、上記スケジュールのスケジュール開始日時よりも後であり（ステップＳ１３）、かつ、上記スケジュールのスケジュール終了日時よりも前であるということは（ステップＳ１４）、その画像の撮像は、当該スケジュールの実行中に行われたこととなる。このため、制御部１２は、このステップＳ１４において、画像情報に付加された日時が、上記スケジュールのスケジュール終了日時よりも前であると判別した場合には処理をステップＳ１５に進め、画像情報の識別情報と、そのスケジュールの識別情報とを関連付けして関連情報記憶部１０に記憶制御する。これにより、所定のスケジュールを示す識別情報と、このスケジュールの実行中にカメラ部８で撮像された画像情報の識別情報とが「関連情報」として関連情報記憶部１０に記憶されることとなる。
【００３２】
このように関連情報の記憶制御を行うと、制御部１２は、処理をステップＳ１２に戻し、このステップＳ１２において、スケジュール帳に登録されている全てのスケジュールに対して前述の検索処理が終了したものと判別するまで、上記ステップＳ１３〜ステップＳ１５の処理を繰り返し実行する。
【００３３】
〔他の関連性の抽出動作〕
なお、この例は、カメラ部８で撮像された画像情報と、スケジュール帳に登録されたスケジュールの関連性を抽出する動作であったが、当該実施の形態の携帯電話機は、この他、送信或いは受信した電子メールに対して画像情報や音楽データ等の添付情報が付加されていた場合、この添付情報に対して付加した識別情報と、当該添付情報が付加されていた電子メールの識別情報とを上記関連情報として関連情報記憶部１０に記憶制御する。このような関連性の抽出処理を行うことで、メモリ１１に記憶されている全ての情報の関連性を示す関連情報が関連情報記憶部１０に記憶され管理されることとなる。
【００３４】
［一括処理動作］
このように関連情報記憶部１０に各情報の関連性を示す関連情報が記憶されると、一方の情報に対して指定された処理を、この一方の情報と関連性を有する他方の情報に対しても一括的に施すことが可能となる。
【００３５】
〔プライベート処理（再生制限処理）〕
まず、当該実施の形態の携帯電話機は、所望の情報に対してプライベート設定を行うことで、該プライベート設定のなされた画像情報や電子メールは、正しいパスワードが入力されない限り表示部５に表示されず、また、プライベート設定のなされた音楽データは、正しいパスワードが入力されない限り再生されないようになっている。そして、当該実施の形態の携帯電話機は、このように所望の情報に対してプライベート設定がなされると、この情報と関連する他の情報に対しても一括的にプライベート設定を施すようになっている。
【００３６】
図４のフローチャートに、このような一括処理動作の流れを示す。この図４のフローチャートは、ユーザにより、所望の情報が選択され、この選択された情報に対して所望の処理が指定されることで、制御部１２が、メモリ１１に記憶されている情報処理プログラムに基づいてスタートさせる。
【００３７】
（スケジュールに対するプライベート設定）
以下、ユーザにより、スケジュール帳の所望の日付及び時間帯のスケジュールに対してプライベート処理が指定されたとして説明を進める。
【００３８】
まず、ステップＳ２１では、制御部１２が、ユーザにより指定されたスケジュールに対して、例えばスケジュール帳の該当するスケジュールに対して、プライベート設定がなされたことを示すフラグを立てる等の処理を行い、ステップＳ２２に処理を進める。
【００３９】
ステップＳ２２では、制御部１２が、このフラグを立てたスケジュール（＝プライベート設定を行ったスケジュール）の識別情報に基づいて関連情報記憶部１０を検索することで、プライベート設定を行ったスケジュールに関連する情報の検索を行う。上述のように、関連情報記憶部１０には、それぞれ関連性を有する各情報の識別情報が記憶されている。このため、制御部１２は、関連情報記憶部１０を検索することで、ステップＳ２３において、上記ステップＳ２１でプライベート処理を施したスケジュールの識別情報に関連付けされている識別情報の有無を判別する。
【００４０】
そして、プライベート処理を施したスケジュールの識別情報に関連付けされている識別情報を検出しない場合には、該プライベート処理を施したスケジュールに関連付けされている情報は存在しないことを意味するため、そのままこの図４のフローチャートに示す一括処理を終了する。
【００４１】
これに対して、プライベート処理を施したスケジュールの識別情報に関連付けされている識別情報を検出した場合には、ステップＳ２４に処理を進め、この検出した識別情報が付されている画像情報（或いは音楽データ）に対しても、該画像情報にフラグを立てる等のプライベート処理を施す。
【００４２】
なお、一つのスケジュールに対して複数の画像情報等が関連付けされている場合もあるため、制御部１２は、上記スケジュールに関連付けされている画像情報等に対してプライベート処理を施した後は、処理をステップＳ２２に戻し、再度、上記スケジュールの識別情報に基づいて関連情報記憶部１０を検索することで、該スケジュールに関連付けされている新たな情報を検出し、上記ステップＳ２３で、この新たな情報を検出できなかった際に、この図４のフローチャートに示す一括処理を終了する。これにより、所望のスケジュールに対してプライベート設定を行った場合には、このスケジュールに関連する画像情報や音楽データ等に対しても一括的にプライベート設定を施すことができる。
【００４３】
（画像情報に対するプライベート設定）
次に、図４のフローチャートを用いて、ユーザにより、所望の画像情報に対してプライベート設定がなされた際に、この画像情報に関連するスケジュールに対してもプライベート設定を施す動作を説明する。
【００４４】
この場合、ステップＳ２１では、制御部１２が、ユーザにより指定された画像情報に対して上記フラグを立てる等のプライベート処理を行い、ステップＳ２２において、このプライベート設定を行った画像情報の識別情報に基づいて関連情報記憶部１０を検索する。そして、ステップＳ２３において、制御部１２は、上記ステップＳ２１でプライベート処理を施した画像情報の識別情報に関連付けされている識別情報の有無を判別する。
【００４５】
この画像情報の識別情報に関連付けされている識別情報がスケジュールの識別情報であった場合、制御部１２は、ステップＳ２４において、この検出した識別情報が付されているスケジュールに対しても上記フラグを立てる等のプライベート処理を施す。これにより、所望の画像に対してプライベート設定を行った場合には、この画像に関連するスケジュールに対しても一括的にプライベート設定を施すことができる。
【００４６】
（添付情報に対するプライベート設定）
次に、図４のフローチャートを用いて、ユーザにより、送信或いは受信した電子メールに添付された添付情報（画像情報や音楽データ等）に対してプライベート設定がなされた際に、この添付情報が添付されていた電子メールに対してもプライベート設定を施す動作を説明する。
【００４７】
この場合、ステップＳ２１では、制御部１２が、ユーザにより指定された添付情報に対して上記フラグを立てる等のプライベート処理を行い、ステップＳ２２において、このプライベート設定を行った添付情報の識別情報に基づいて関連情報記憶部１０を検索する。そして、ステップＳ２３において、制御部１２は、上記ステップＳ２１でプライベート処理を施した添付情報の識別情報に関連付けされている識別情報の有無を判別し、ステップＳ２４において、上記添付情報に関連付けされている識別情報に対応する電子メールに対しても上記フラグを立てる等のプライベート処理を施す。これにより、所望の添付情報に対してプライベート設定を行った場合には、この添付情報が添付されていた電子メールに対しても一括的にプライベート設定を施すことができる。
【００４８】
（電子メールに対するプライベート設定）
次に、図４のフローチャートを用いて、ユーザにより、送信或いは受信した電子メールに対してプライベート設定がなされた際に、この電子メールに添付されていた添付情報に対してもプライベート設定を施す動作を説明する。
【００４９】
この場合、ステップＳ２１では、制御部１２が、ユーザにより指定された電子メールに対して上記フラグを立てる等のプライベート処理を行い、ステップＳ２２において、このプライベート設定を行った電子メールの識別情報に基づいて関連情報記憶部１０を検索する。そして、ステップＳ２３において、制御部１２は、上記ステップＳ２１でプライベート処理を施した電子メールの識別情報に関連付けされている識別情報の有無を判別し、ステップＳ２４において、上記電子メールに関連付けされている識別情報に対応する添付情報に対しても上記フラグを立てる等のプライベート処理を施す。これにより、所望の電子メールに対してプライベート設定を行った場合には、この電子メールに添付されていた添付情報に対しても一括的にプライベート設定を施すことができる。
【００５０】
（所望のアドレスに対するプライベート設定）
次に、図４のフローチャートを用いて、ユーザにより、所望の電子メールのアドレスに対してプライベート設定がなされた際に、このアドレスを有する電子メール及び該電子メールに添付されていた添付情報に対してもプライベート設定を施す動作を説明する。
【００５１】
この場合、制御部１２は、メモリ１１の電話帳に記憶されているアドレスのうち、ユーザにより指定されたアドレスに対して上記フラグを立てる等のプライベート処理を行い、メモリ１１に記憶されている電子メールの中から上記プライベート設定を行ったアドレスを有する電子メールを検索する。
【００５２】
制御部１２は、ステップＳ２１において、上記アドレスを有する電子メールに対してプライベート処理を施し、ステップＳ２２において、このプライベート設定を行った電子メールの識別情報に基づいて関連情報記憶部１０を検索する。そして、ステップＳ２３において、該電子メールに関連付けされている識別情報の有無を判別し、ステップＳ２４において、上記電子メールに関連付けされている識別情報に対応する添付情報に対しても上記フラグを立てる等のプライベート処理を施す。これにより、所望のアドレスに対してプライベート設定を行った場合には、送受信された電子メールのうち、上記アドレスを有する電子メール及び該電子メールに添付されていた添付情報に対しても一括的にプライベート設定を施すことができる。
【００５３】
〔削除処理〕
次に、当該実施の形態の携帯電話機は、所望の情報に対して削除を指定することで、該削除が指定された情報に関連する他の情報も一括的に削除処理されるようになっている。図４のフローチャートを用いて、ユーザにより、所望の電子メールに対して削除処理が指定された際に、この電子メールと共に、該電子メールに添付されていた添付情報に対しても削除処理を施す動作を説明する。
【００５４】
この場合、ステップＳ２１では、制御部１２が、ユーザにより指定された電子メールをメモリ１１上から削除する処理を行い、ステップＳ２２において、この削除を行った電子メールの識別情報に基づいて関連情報記憶部１０を検索する。そして、ステップＳ２３において、制御部１２は、上記ステップＳ２１で削除処理を施した電子メールの識別情報に関連付けされている識別情報の有無を判別し、ステップＳ２４において、上記電子メールに関連付けされている識別情報に対応する添付情報に対しても削除処理を施す。これにより、所望の電子メールに削除処理を施した場合には、この電子メールに添付されていた添付情報に対しても一括的に削除処理を施すことができる。
【００５５】
なお、この例は、電子メールに対して削除処理が施された場合に、この電子メールに添付されていた添付情報に対しても削除処理を施す例であったが、反対に、添付情報に対して削除処理が施された場合、制御部１２は、この添付情報が添付されていた電子メールに対しても削除処理を施す。また、所望のアドレスの削除処理が指定された場合、制御部１２は、このアドレスを有する電子メール及び添付情報を一括的に削除処理する。この他、画像情報の削除処理が指定された場合、制御部１２は、この画像情報に関連するスケジュールをスケジュール帳から削除処理し、反対に、スケジュールの削除処理が指定された場合、制御部１２は、このスケジュールに関連する画像情報をメモリ１１から削除処理する。
【００５６】
〔削除処理〕
次に、当該実施の形態の携帯電話機は、所望の情報を誤消去から保護する保護処理を指定した場合、この保護処理が指定された情報に関連する他の情報も一括的に保護処理されるようになっている。図４のフローチャートを用いて、ユーザにより、所望の電子メールに対して保護処理が指定された際に、この電子メールと共に、該電子メールに添付されていた添付情報に対しても保護処理を施す動作を説明する。
【００５７】
この場合、ステップＳ２１では、制御部１２が、ユーザにより指定された電子メールに対して保護情報であることを示すフラグを立てる等の保護処理を行い、ステップＳ２２において、この保護処理を行った電子メールの識別情報に基づいて関連情報記憶部１０を検索する。そして、ステップＳ２３において、制御部１２は、上記ステップＳ２１で保護処理を施した電子メールの識別情報に関連付けされている識別情報の有無を判別し、ステップＳ２４において、上記電子メールに関連付けされている識別情報に対応する添付情報に対しても保護処理を施す。これにより、所望の電子メールに保護処理を施した場合には、この電子メールに添付されていた添付情報に対しても一括的に保護処理を施すことができ、両方の情報を誤消去から保護することができる。
【００５８】
なお、この例は、電子メールに対して保護処理が施された場合に、この電子メールに添付されていた添付情報に対しても保護処理を施す例であったが、反対に、添付情報に対して保護処理が施された場合、制御部１２は、この添付情報が添付されていた電子メールに対しても保護処理を施す。また、所望のアドレスの保護処理が指定された場合、制御部１２は、このアドレスを有する電子メール及び添付情報を一括的に保護処理する。この他、画像情報の保護処理が指定された場合、制御部１２は、この画像情報に関連するスケジュールを保護処理し、反対に、スケジュールの保護処理が指定された場合、制御部１２は、このスケジュールに関連する画像情報を保護処理する。
【００５９】
〔処理の可否の問い合わせ〕
このように、当該実施の形態の携帯電話機は、一方の情報に対して所望の処理を指定した場合、この一方の情報と関連性を有する他方の情報に対しても上記所望の処理を施すことができるのであるが、上記他方の情報に対する処理を望まない場合も有り得る。このため、上記他方の情報に対する処理を施す際に、該他方の情報に対する処理の是非をユーザに問い合わせてもよい。
【００６０】
この場合、制御部１２は、図４のフローチャートのステップＳ２１において、ユーザにより選択された情報に対して、ユーザから指定された処理を施し、ステップＳ２３において、この処理を施した情報に関連する情報が検出された際に、例えば「関連する情報がありますが、この情報も一緒に処理しますか？ Ｙｅｓ／Ｎｏ」等の一括処理の問い合わせのメッセージを表示部５に表示制御する。
【００６１】
ユーザは、このメッセージに応答して操作部６を操作して、一括処理の是非の入力を行うのであるが、制御部１２は、この一括処理を容認する操作を検出した際に、ステップＳ２４において、関連する情報に対しても処理を施す。なお、制御部１２は、この一括処理を否認する操作を検出した場合は、関連する情報に対して処理を施すことなく、図４のフローチャートの処理を終了する。このような一括処理の実行の際に、ユーザに対して問い合わせを行うことで、当該一括処理にユーザの意志を反映させることができる。
【００６２】
［実施の形態の効果］
以上の説明から明らかなように、この実施の形態の携帯電話機は、一方の情報に対して所望の処理を指定した場合、この一方の情報と共に、該一方の情報と関連性を有する他方の情報に対しても上記所望の処理を一括して施すことができる。このため、互いに関連性を有する各情報毎に同じ処理を別々に施す面倒な作業を省略することができる。
【００６３】
また、上記他方の情報に対して処理を施す際に、ユーザに対して当該処理の是非を問う問い合わせを行うことで、該他方の情報まで誤って処理が施される不都合を防止することができ、当該一括処理にユーザの意志を反映させることを可能とすることができる。
【００６４】
［変形例］
上述の実施の形態の説明では、本発明を携帯電話機に適用することとしたが、本発明は、この携帯電話機の他、ＰＨＳ電話機（PHS：Personal Handyphone System）、通信機能を有するＰＤＡ装置（PDA：Personal Digital Assistant）やノート型或いはデスクトップ型のパーソナルコンピュータ装置等の他の端末装置に適用してもよい。この場合でも、上述と同じ効果を得ることができる。
【００６５】
最後に、本発明は、本発明の一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【００６６】
【図１】本発明を適用した実施の形態となる携帯電話機のブロック図である。
【図２】実施の形態の携帯電話機における各情報の関連性の抽出動作を説明するためのフローチャートである。
【図３】実施の形態の携帯電話機における各情報の関連付け処理を説明するためのフローチャートである。
【図４】実施の形態の携帯電話機における一括処理動作を説明するためのフローチャートである。
【符号の説明】
【００６７】
１  アンテナ、２  通信回路、３  スピーカ部、４  マイクロホン部、５  表示部、６  操作部、７  発光部（ＬＥＤ）、８  カメラ部、９  バイブレーションユニット、１０  関連情報記憶部、１１  メモリ、１２  制御部、１３  タイマ
【図１】
0004657944.tif 000002
【図２】
0004657944.tif 000003
【図３】
0004657944.tif 000004
【図４】
0004657944.tif 000005